(57)【特許請求の範囲】
【請求項１】
ケーシング内に配置された内部コネクタと、前記ケーシング外に配置された外部コネクタと、前記内部コネクタ及び前記外部コネクタ間に電気的に接続される電子制御ユニットとを含むコネクタ接続構造であって、
前記電子制御ユニットは、前記内部コネクタに接続された状態において前記ケーシングに形成された開口に対向する部分を含む主部と、前記主部の両端にあって前記内部コネクタに接続される第１導電接続部及び前記外部コネクタに接続される第２導電接続部とを有し、
前記主部の外周部に第１シール部材が設けられており、前記第１シール部材は、前記電子制御ユニットに前記外部コネクタが接続されておらず、且つ前記電子制御ユニットが内部コネクタに接続されている状態において、前記開口を塞ぐものであり、
前記外部コネクタは、前記電子制御ユニットが前記内部コネクタ及び前記外部コネクタに接続された状態において、前記開口に対向する部分を含む筒状部を含み、
前記第１シール部材は、前記電子制御ユニットが前記内部コネクタに接続され、且つ前記電子制御ユニットに前記外部コネクタが接続されていない状態では、前記開口の内周面当接して前記ケーシングと前記電子制御ユニットとの間のシーリングを行う第１状態と、前記電子制御ユニットに前記外部コネクタが接続されている状態では、前記筒状部の内周面に当接して前記電子制御ユニットと前記外部コネクタの間のシーリングする第２状態とを選択的に取るコネクタ接続構造。
【請求項２】
ケーシング内に配置された内部コネクタと、前記ケーシング外に配置された外部コネクタと、前記内部コネクタ及び前記外部コネクタ間に電気的に接続される電子制御ユニットとを含むコネクタ接続構造であって、
前記電子制御ユニットは、前記内部コネクタに接続された状態において前記ケーシングに形成された開口に対向する部分を含む主部と、前記主部の両端にあって前記内部コネクタに接続される第１導電接続部及び前記外部コネクタに接続される第２導電接続部とを有し、
前記主部の外周部に第１シール部材が設けられており、前記第１シール部材は、前記電子制御ユニットに前記外部コネクタが接続されておらず、且つ前記電子制御ユニットが内部コネクタに接続されている状態において、前記開口を塞ぐものであり、
更に、前記電子制御ユニット及び前記外部コネクタに互いに係合可能な係合部が設けられ、係合部は、前記電子制御ユニットを前記外部コネクタに接続する取付時に互いに係合して前記電子制御ユニットと前記外部コネクタとを結合し、前記電子制御ユニットを前記内部コネクタから取り外す時には互いに係合した状態を保って前記電子制御ユニットと前記外部コネクタとの結合を維持するコネクタ接続構造。
【請求項３】
前記第１シール部材は、ゴム製で、前記主部の外周部に固定される基部及び前記基部から外方に延出した遊端を含むリップ部を有し、前記リップ部の弾性変形によって前記遊端が前記開口の内周面或いは前記筒状部の内周面に当接する請求項１又は２に記載のコネクタ接続構造。
【請求項４】
前記筒状部の外周部に取り付けられて前記開口における前記電子制御ユニットと前記ケーシングとの間のシーリングを行う第２シール部材を更に有する請求項１〜請求項３の何れか一項に記載のコネクタ接続構造。
【請求項５】
前記電子制御ユニット及び前記外部コネクタに互いに係合可能な係合部が設けられ、係合部は、前記電子制御ユニットを前記外部コネクタに接続する取付時に互いに係合して前記電子制御ユニットと前記外部コネクタとを結合し、前記電子制御ユニットを前記内部コネクタから取り外す時には互いに係合した状態を保って前記電子制御ユニットと前記外部コネクタとの結合を維持する請求項１に記載のコネクタ接続構造。
【請求項６】
ケーシング内に配置された内部コネクタと、前記ケーシング外に配置された外部コネクタと、前記内部コネクタ及び前記外部コネクタ間に電気的に接続される電子制御ユニットとを含むコネクタ接続構造であって、
前記電子制御ユニットは、前記内部コネクタに接続された状態において前記ケーシングに形成された開口に対向する部分を含む主部と、前記主部の両端にあって前記内部コネクタに接続される第１導電接続部及び前記外部コネクタに接続される第２導電接続部とを有し、
前記主部の外周部に第１シール部材が設けられており、前記第１シール部材は、前記電子制御ユニットに前記外部コネクタが接続されておらず、且つ前記電子制御ユニットが内部コネクタに接続されている状態において、前記開口を塞ぐものであり、
前記第１シール部材は、前記主部の外周部に固定される基部と、前記基部から外方に延出して前記開口の周りの前記ケーシングの外面に接触する第１シール面及び前記外部コネクタに設けられたフランジに接触する第２シール面を含むフランジ部とを有するコネクタ接続構造。
【請求項７】
前記内部コネクタは、前記電子制御ユニットとの接続方向に直交する方向に変位可能に前記ケーシングに取り付けられている請求項１〜請求項６の何れか一項に記載のコネクタ接続構造。
【発明の詳細な説明】
【技術分野】
【０００１】
本発明は、コネクタ接続構造に関し、更に詳細には、電子制御ユニットがケーシング内に配置された内部コネクタ及びケーシング外に配置された外部コネクタに接続されるコネクタ接続構造に関する。
【背景技術】
【０００２】
電子制御ユニットを内蔵したケーシングとモータ等の制御対象機器とが直結され、ケーシングに外部接続用の電気コネクタが取り付けられた電子制御装置が知られている。
【先行技術文献】
【特許文献】
【０００３】
【特許文献１】特開２０１７−１４３２８７号公報
【発明の概要】
【発明が解決しようとする課題】
【０００４】
上述の如き従来の電子制御装置では、電子制御ユニットの不具合等によって電子制御ユニットを交換する必要が生じた際には、装置全体を分解する必要がある。従来の電子制御装置はメンテナンス性に欠ける。また、従来の電子制御装置は、メンテナンス作業時に分解されたケーシング内に異物が侵入することを防止する対策がなされていない。
【０００５】
本発明が解決しようとする課題は、電子制御ユニットの交換等が作業性よく行われ、しかも、メンテナンス作業時にケーシング内に異物が侵入することを抑制することである。
【課題を解決するための手段】
【０００６】
本発明の一つの実施形態によるコネクタ接続構造は、ケーシング（１０）内に配置された内部コネクタ（２０）と、前記ケーシング（１０）外に配置された外部コネクタ（３０）と、前記内部コネクタ（２０）及び前記外部コネクタ（３０）間に電気的に接続される電子制御ユニット（５０）とを含むコネクタ接続構造であって、前記電子制御ユニット（５０）は、前記内部コネクタ（２０）に接続された状態において前記ケーシング（１０）に形成された開口（１６）に対向する部分を含む主部（５４）と、前記主部（５４）の両端にあって前記内部コネクタ（２０）に接続される第１導電接続部（５６）及び前記外部コネクタ（３０）に接続される第２導電接続部（５８）とを有し、前記主部の外周部に第１シール部材（７０）が設けられており、前記第１シール部材（７０）は、前記電子制御ユニット（５０）に前記外部コネクタ（３０）が接続されておらず、且つ前記電子制御ユニット（５０）が内部コネクタ（２０）に接続されている状態において、前記開口（１６）を塞ぐようになっている。
【０００７】
この構成によれば、電子制御ユニット（５０）が内部コネクタ（２０）に対して取り外し可能であるから電子制御ユニット（５０）の交換等を作業性よく行え、しかも、外部コネクタ（３０）が外されたメンテナンス作業時にケーシング（１０）内に異物が侵入することが第１シール部材（７０）によって抑制される。
【０００８】
上記コネクタ接続構造において、好ましくは、前記第１シール部材（７０）は、前記電子制御ユニット（５０）に前記外部コネクタ（３０）が接続されておらず、且つ前記電子制御ユニット（５０）が内部コネクタ（２０）に接続されている状態では、前記開口（１６）の内周面に当接して前記ケーシング（１０）と前記電子制御ユニット（５０）との間のシーリングを行う。
【０００９】
この構成によれば、第１シール部材（７０）によってケーシング（１０）と電子制御ユニット（５０）との間のシーリングが行われる。
【００１０】
上記コネクタ接続構造において、好ましくは、前記外部コネクタ（３０）は、前記電子制御ユニット（５０）が前記内部コネクタ（２０）及び前記外部コネクタ（３０）に接続された状態において、前記開口（１６）に対向する部分を含む筒状部（３７）を含み、前記第１シール部材（７０）は、前記電子制御ユニット（５０）が前記内部コネクタ（２０）に接続され、且つ前記電子制御ユニット（５０）に前記外部コネクタ（３０）が接続されていない状態では、前記開口（１６）の内周面に当接して前記ケーシング（１０）と前記電子制御ユニット（５０）との間のシーリングを行う第１状態と、前記電子制御ユニット（５０）に前記外部コネクタ（３０）が接続されている状態では、前記筒状部（３７）の内周面に当接して前記電子制御ユニット（５０）と前記外部コネクタ（３０）の間のシーリングする第２状態とを選択的に取る。
【００１１】
この構成によれば、第１シール部材（７０）は、電子制御ユニット（５０）に外部コネクタ（３０）が接続されていないと、第１状態になってケーシング（１０）と電子制御ユニット（５０）との間のシーリングを行い、電子制御ユニット（５０）に外部コネクタ（３０）が接続されると、第２状態になって電子制御ユニット（５０）と外部コネクタ（３０）の間のシーリングを行う。
【００１２】
上記コネクタ接続構造において、好ましくは、前記第１シール部材（７０）は、ゴム製で、前記主部（５４）の外周部に固定される基部（７２）及び前記基部（７２）から外方に延出した遊端（７４Ａ）を含むリップ部（７４）を有し、前記リップ部（７４）の弾性変形によって前記遊端（７４Ａ）が前記開口（１６）の内周面（１６Ａ）或いは前記筒状部（３７）の内周面（３７Ａ）の内面に当接する。
【００１３】
この構成によれば、第１シール部材（７０）は、リップ部（７４）の弾性変形によって自ずと第１状態或いは第２状態を取り、何れの状態でも良好な塞ぐシーリングを行う。
【００１４】
上記コネクタ接続構造において、好ましくは、前記外部コネクタ（３０）の外周部に取り付けられて前記開口（１６）における前記電子制御ユニット（５０）と前記ケーシング（１０）との間のシーリングを行う第２シール部材（４２）を更に有する。
【００１５】
この構成によれば、電子制御ユニット（５０）に外部コネクタ（３０）が接続された状態では、第２シール部材（４２）によってケーシング（１０）内に異物が侵入することが抑制される。
【００１６】
上記コネクタ接続構造において、好ましくは、前記電子制御ユニット（５０）及び前記外部コネクタ（３０）に互いに係合可能な係合部（４０、６０）が設けられ、前記係合部（４０、６０）は、前記電子制御ユニット（５０）を前記外部コネクタ（２０）に接続する接続時に互いに係合して前記電子制御ユニット（５０）と前記外部コネクタ（３０）とを結合し、前記電子制御ユニット（５０）を前記内部コネクタ（２０）から取り外す時には互いに係合した状態を保って前記電子制御ユニット（５０）と前記外部コネクタ（３０）との結合を維持する。
【００１７】
この構成によれば、電子制御ユニット（５０）を内部コネクタ（２０）から取り外す時に、電子制御ユニット（５０）が外部コネクタ（３０）に結合された状態で取り外され、電子制御ユニット（５０）の取り外しの作業性が向上する。
【００１８】
上記コネクタ接続構造において、好ましくは、前記第１シール部材（７０）は、前記主部（５４）の外周部に固定される基部（８２）と、前記基部から外方に延出して前記開口（１６）の周りの前記ケーシング（１０）の外面（１４Ａ）に接触する第１シール面（８４Ａ）及び前記外部コネクタ（３０）に設けられたフランジ（３３）に接触する第２シール面（８４Ｂ）を含むフランジ部（８４）とを有する。
【００１９】
この構成によれば、第１シール部材（７０）によって開口（１６）が閉じられると共にケーシング（１０）と外部コネクタ（３０）との間のシーリングが行われる。
【００２０】
上記コネクタ接続構造において、好ましくは、前記内部コネクタ（２０）は、電子制御ユニット（５０）との接続方向に直交する方向に変位可能に前記ケーシング（１０）に取り付けられている。
【００２１】
この構成によれば、第１シール部材（７０）に偏荷重が作用することが回避され、第１シール部材（７０）によるシーリングが良好に行われる。
【発明の効果】
【００２２】
本発明によるコネクタ接続構造によれば、電子制御ユニットの交換等が作業性よく行われるようになり、しかも、メンテナンス作業時にケーシング内に異物が侵入することが抑制される。
【図面の簡単な説明】
【００２３】
【図１】本発明によるコネクタ接続構造の一つの実施形態の外部コネクタが接続されていない状態を示す部分断面図
【図２】本実施形態によるコネクタ接続構造の外部コネクタが接続されている状態を示す部分断面図
【図３】本実施形態によるコネクタ接続構造の外部コネクタの抜き出し状態を示す部分断面図
【図４】本実施形態によるコネクタ接続構造の内部コネクタの取付構造を示す平断面図
【図５】本実施形態によるコネクタ接続構造の分解斜視図
【図６】本発明によるコネクタ接続構造の他の実施形態の外部コネクタが接続されている状態を示す部分断面図
【発明を実施するための形態】
【００２４】
以下に、本発明によるコネクタ接続構造の一つの実施形態を、図１〜図５を参照して説明する。
【００２５】
本実施形態によるコネクタ接続構造は、ケーシング１０に関係し、ケーシング１０内に配置された内部コネクタ２０と、ケーシング１０外に配置された外部コネクタ３０と、内部コネクタ２０及び外部コネクタ３０に電気的に接続される電子制御ユニット５０とを含む。
【００２６】
ケーシング１０は、上側が開口した箱状のケーシング本体１２及びケーシング本体１２の上側の開口を閉じるべくケーシング本体１２の上部に取り付けられた平板状のカバープレート１４を含む密閉構造のものである。ケーシング１０内の底部には電子制御ユニット５０による制御対象である制御対象機器１５が設置されている。カバープレート１４にはケーシング１０内に対する電子制御ユニット５０の挿入のための開口１６が形成されている。
【００２７】
制御対象機器１５の上部にはコネクタ取付プレート１８が取り付けられている。コネクタ取付プレート１８には、図４に示されているように、左右一対の起立片１８Ａ及び前後一対の起立片１８Ｂが設けられている。各起立片１８Ａには係合孔１８Ｃが形成されている。各係合孔１８Ｃには内部コネクタ２０のハウジング２２の左右の外壁に形成された係合突起２２Ａ（図５参照）が係合している。この係合により、内部コネクタ２０は上下方向の変位を規制されてコネクタ取付プレート１８に取り付けられる。
【００２８】
ハウジング２２の左右の各外壁には、図４に示されているように、起立片１８Ａを前後から挟むように前後一対の凸壁２２Ｂが前後方向に間隔Ａをおいて形成されている。起立片１８Ａの前後方向の外寸ａは間隔（内寸）Ａより小さい。これにより、内部コネクタ２０は、コネクタ取付プレート１８に対して、換言するとケーシング１０に対して前後方向に間隔Ａと外寸ａとの寸法差だけ変位可能である。
【００２９】
ハウジング２２の前後の各外壁には、図４に示されているように、起立片１８Ｂが係合する下向きに開口した凹部２２Ｃが形成されている。凹部２２Ｃの左右方向の内寸Ｂは起立片１８Ｂの左右方向の外寸ｂより大きい。これにより、内部コネクタ２０は、コネクタ取付プレート１８に対して、換言するとケーシング１０に対して左右方向に内寸Ｂと外寸ｂとの寸法差だけ変位可能である。
【００３０】
このようにして、内部コネクタ２０は、制御対象機器１５及びコネクタ取付プレート１８を介して、電子制御ユニット５０との接続方向（上下方向）に直交する前後方向及び左右方向に各々に変位可能にケーシング１０に取り付けられている。
【００３１】
内部コネクタ２０は、図２に示されているように、ハウジング２２に形成された上方に開口した端子室２４に複数の雌型端子２６を含む両面カードエッジコネクタである。
【００３２】
外部コネクタ３０は、図２に示されているように、ハウジング３２に形成された下方に開口した端子室３４に複数の雌型端子３６を含む両面カードエッジコネクタである。
【００３３】
電子制御ユニット５０は、ＣＰＵ等の各種の電子部品（不図示）及びプリント配線基板５２の主要部及びプリント配線基板５２の主要部に実装されたＣＰＵ等の各種の電子部品（不図示）が電気絶縁樹脂によって封止されている略直方体形状の主部５４と、プリント配線基板５２が主部５４の下端から下方に延出した第１カードエッジ部５２Ａの両面に形成された第１導電接続部（端子）５６（図５参照）と、プリント配線基板５２が主部５４の上端から上方に延出した第２カードエッジ部５２Ｂの両面に形成された第２導電接続部（端子）５８（図５参照）とを有する。第１導電接続部５６は内部コネクタ２０の雌型端子２６に導電接続される。第２導電接続部５８は外部コネクタ３０の雌型端子３６に導電接続される。
【００３４】
図１に示されているように、第１導電接続部５６が雌型端子２６に接触する、内部コネクタ２０に対する電子制御ユニット５０の接続状態において、電子制御ユニット５０の主部５４が開口１６に対向する部分の外周部には第１シール部材７０が取り付けられている。第１シール部材７０は、ゴム製のものであり、主部５４の外周部に形成された周溝５４Ａに嵌合して主部５４の外周部に固定される基部７２及び基部７２から外方に傘状に延出して自由端をなす遊端７４Ａを含む薄肉のリップ部７４を有する。
【００３５】
開口１６の平面視の形状は、図５に示されているように、主部５４が開口１６に位置する部分の外形と相似形をなしており、左右方向に長い長円形である。同様に第１シール部材７０の平面視の形状も主部５４が開口１６に位置する部分の外形と相似形をなしており、当該部分の全周に亘って延在する長円形環状である。
【００３６】
第１シール部材７０は、図１に示されているように、電子制御ユニット５０が内部コネクタ２０に接続され、電子制御ユニット５０に外部コネクタ３０が接続されていない状態では、開口１６を塞ぐべくリップ部７４の遊端７４Ａが開口１６の内周面に当接（接触）し、ケーシング１０と電子制御ユニット５０との間のシーリングを行う第１状態をとる。
【００３７】
これにより、電子制御ユニット５０に外部コネクタ３０が接続されていない状態において、開口１６からケーシング１０内に異物が侵入することが抑制される。
【００３８】
内部コネクタ２０は、ケーシング１０に対して電子制御ユニット５０との接続方向に直交する前後方向及び左右方向に各々に変位可能であるから、リップ部７４の遊端７４Ａが全周に亘って開口１６の内周面に一様に当接するように、内部コネクタ２０がケーシング１０に対して変位する。これにより、第１シール部材７０に偏荷重が作用することが回避され、ケーシング１０と電子制御ユニット５０との間のシーリングが電子制御ユニット５０の全周に亘って適切に行われる。
【００３９】
主部５４の第１シール部材７０の取付部より下側（第１導電接続部５６側）の前後両面には各面から外方に延出した突部６０が形成されている。突部６０の先端面６０Ａは下側に向かうほど外方に位置する傾斜面になっている。
【００４０】
図２に示されているように、外部コネクタ３０が電子制御ユニット５０に接続された状態において、ハウジング３２が開口１６に対向する部分には、開口１６の平面視の形状と相似形の筒状部３７が形成されている。筒状部３７の外周には第２シール部材４２が装着されている。第２シール部材４２は、ゴム製のＯリング等であってよく、外部コネクタ３０が電子制御ユニット５０に接続された状態において、開口１６の内周面に当接（接触）し、開口１６における電子制御ユニット５０とケーシング１０との間のシーリングを行う。
【００４１】
これにより、図２に示されているように、電子制御ユニット５０が内部コネクタ２０に接続され、且つ電子制御ユニット５０に外部コネクタ３０が接続されている状態において、開口１６からケーシング１０内に異物が侵入することが抑制される。
【００４２】
外部コネクタ３０は筒状部３７の前後両側の下端から下方に延出した前後一対の突出片３８を有する。各突出片３８は、ハウジング３２の上側（外側）から外部コネクタ３０を電子制御ユニット５０に接続すべく外部コネクタ３０が開口１６に挿入される際に、第１シール部材７０のリップ部７４に当たり、リップ部７４を弾性変形させながらリップ部７４を通過する。
【００４３】
これにより、第１シール部材７０は、図２及び図３に示されているように、電子制御ユニット５０に外部コネクタ３０が接続された状態では、筒状部３７の内周面３７Ａに当接する第２状態を取る。第２状態では、外部コネクタ３０と電子制御ユニット５０との間のシーリングが行われ、外部コネクタ３０と電子制御ユニット５０との導電接続部に異物が侵入することが抑制される。
【００４４】
外部コネクタ３０は、図２に示されているように、電子制御ユニット５０が内部コネクタ２０に接続され、外部コネクタ３０が電子制御ユニット５０に接続された接続完了状態において、外部コネクタ３０に取り付けられたボルト４４がカバープレート１４に形成されたねじ孔１７に螺合することによりケーシング１０に固定される。
【００４５】
各突出片３８の先端近傍には係合孔４０が設けられている。係合孔４０は、外部コネクタ３０が電子制御ユニット５０に接続される際に突部６０が進入し、突部６０と係合する。係合孔４０と突部６０とは、電子制御ユニット５０を内部コネクタ２０から取り外す時には互いに係合した状態を保ち、電子制御ユニット５０と外部コネクタ３０との結合を維持する。
【００４６】
電子制御ユニット５０を内部コネクタ２０から取り外す場合には、図３に示されているように、外部コネクタ３０がケーシング１０に対して持ち上げられることにより、外部コネクタ３０に結合された状態で電子制御ユニット５０が外部コネクタ３０と共にケーシング１０から抜き出される。
【００４７】
これにより、電子制御ユニット５０を内部コネクタ２０から取り外す際に、電子制御ユニット５０が内部コネクタ２０に接続された状態でケーシング１０側に残ることがない。このことにより、電子制御ユニット５０の交換等の保守の作業性が向上する。
【００４８】
次に、本発明によるコネクタ接続構造の他の実施形態を、図６を参照して説明する。なお、図６において、図１〜図５に対応する部分は、図１〜図５に付した符号と同一の符号を付けて、その説明を省略する。
【００４９】
電子制御ユニット５０に、上述の実施形態の第１シール部材７０とは形状等が異なる第１シール部材８０が取り付けられている。第１シール部材８０は、ゴム製のものであり、電子制御ユニット５０の主部５４の外周部に形成された周溝５４Ａに嵌合して主部５４の外周部に固定される基部８２及び基部８２から外方に延出した平らなフランジ部８４を有する。
【００５０】
フランジ部８４は、電子制御ユニット５０が外部コネクタ３０に接続されていない状態において、下面がなす第１シール面８４Ａをもってカバープレート１４の上面１４Ａに接触し、開口１６を塞ぐ。
【００５１】
これにより、電子制御ユニット５０に外部コネクタ３０が接続されていない状態において、開口１６からケーシング１０内に異物が侵入することが抑制される。
【００５２】
フランジ部８４は、電子制御ユニット５０が外部コネクタ３０に接続された状態において、フランジ部８４の上面がなす第２シール面８４Ｂをもって外部コネクタ３０のハウジング３２の下端に形成されたフランジ部３３の下面３３Ａに接触し、外部コネクタ３０と電子制御ユニット５０との間のシーリングを行う。
【００５３】
これにより、電子制御ユニット５０に外部コネクタ３０が接続された状態でも開口１６からケーシング１０内に異物が侵入することが抑制される。
【００５４】
この実施形態では、第２シール部材４２を省略することができる。
【００５５】
以上、本発明を、その好適な実施形態について説明したが、当業者であれば容易に理解できるように、本発明はこのような実施形態により限定されるものではなく、本発明の趣旨を逸脱しない範囲で適宜変更可能である。外部コネクタ３０の係合孔４０と電子制御ユニット５０の突部６０との係合による電子制御ユニット５０の引き上げは必須でなく、図６に示されている実施形態のように、係合孔４０を有する突出片３８及び突部６０が省略されてもよい。また、上記実施形態に示した構成要素は必ずしも全てが必須なものではなく、本発明の趣旨を逸脱しない限りにおいて適宜取捨選択することが可能である。
【符号の説明】
【００５６】
１０    ：ケーシング
１２    ：ケーシング本体
１４    ：カバープレート
１４Ａ  ：上面
１５    ：制御対象機器
１６    ：開口
１７    ：ねじ孔
１８    ：コネクタ取付プレート
１８Ａ  ：起立片
１８Ｂ  ：起立片
１８Ｃ  ：係合孔
２０    ：内部コネクタ
２２    ：ハウジング
２２Ａ  ：係合突起
２２Ｂ  ：凸壁
２２Ｃ  ：凹部
２４    ：端子室
２６    ：雌型端子
３０    ：外部コネクタ
３２    ：ハウジング
３３    ：フランジ部
３３Ａ  ：下面
３４    ：端子室
３６    ：雌型端子
３７    ：筒状部
３７Ａ  ：内周面
３８    ：突出片
４０    ：係合孔
４２    ：第２シール部材
４４    ：ボルト
５０    ：電子制御ユニット
５２    ：プリント配線基板
５２Ａ  ：第１カードエッジ部
５２Ｂ  ：第２カードエッジ部
５４    ：主部
５４Ａ  ：周溝
５６    ：第１導電接続部
５８    ：第２導電接続部
６０    ：突部
６０Ａ  ：先端面
７０    ：第１シール部材
７２    ：基部
７４    ：リップ部
７４Ａ  ：遊端
８０    ：第１シール部材
８２    ：基部
８４    ：フランジ部
８４Ａ  ：第１シール面
８４Ｂ  ：第２シール面
【要約】      （修正有）【課題】電子制御ユニットの交換等を作業性よく行え、しかも、メンテナンス作業時にケーシング内に異物が侵入することを抑制すること。【解決手段】ケーシング１０内に配置された内部コネクタ２０と、ケーシング１０外に配置された外部コネクタ３０と、内部コネクタ２０及び外部コネクタ３０に電気的に接続される電子制御ユニット５０とを含むコネクタ接続構造であって、電子制御ユニット５０はケーシング１０に形成された開口１６に位置する部分を含む主部と、主部の両端にあって内部コネクタ２０に接続される第１導電接続部及び外部コネクタ３０に接続される第２導電接続部とを有し、主部の外周部に、電子制御ユニット５０に外部コネクタ３０が接続されていない状態において開口１６を塞ぐ第１シール部材７０が設けられている。【選択図】図２【図１】
0006865258.tif 000002
【図２】
0006865258.tif 000003
【図３】
0006865258.tif 000004
【図４】
0006865258.tif 000005
【図５】
0006865258.tif 000006
【図６】
0006865258.tif 000007